(57)【特許請求の範囲】
【請求項１】
緊急情報送信装置から送信された情報である緊急情報を受信する緊急情報受信部と、
前記緊急情報受信部によって前記緊急情報が受信されると、緊急時に子局に送信される呼出信号の送信回数を示す緊急時連送回数が設定された信号である緊急時起動信号を生成する緊急時起動信号生成部と、
前記緊急時起動信号を出力する緊急時起動信号出力部と、
を備える、緊急情報受信装置と、
前記緊急情報受信装置から出力された前記緊急時起動信号の入力を受け付ける緊急時起動信号入力部と、
前記子局を呼び出すための操作情報の入力をオペレータから受け付ける操作入力部と、
前記操作入力部によって前記操作情報の入力が受け付けられると、通常時に前記子局に前記呼出信号を送信するための信号である通常時起動信号を生成する通常時起動信号生成部と、
前記緊急時起動信号入力部によって前記緊急時起動信号の入力が受け付けられた場合には前記緊急時起動信号を出力し、前記通常時起動信号生成部によって前記通常時起動信号が生成された場合には前記通常時起動信号を出力する起動信号出力部と、
を備える、操作卓と、
通常時に前記子局に送信される呼出信号の送信回数を示す通常時連送回数を記憶する記憶部と、
前記操作卓から出力された前記緊急時起動信号または前記通常時起動信号の入力を受け付ける起動信号入力部と、
前記起動信号入力部によって前記緊急時起動信号が入力された場合には、前記緊急時起動信号に設定された前記緊急時連送回数分、アンテナを介して前記呼出信号を前記子局に送信し、前記起動信号入力部によって前記通常時起動信号が入力された場合には、前記記憶部によって記憶された前記通常時連送回数分、前記アンテナを介して前記呼出信号を前記子局に送信する信号処理部と、
を備える、親局と、
を有し、
前記緊急情報受信装置は、
前記緊急時起動信号生成部により、前記緊急情報受信部によって受信された前記緊急情報に応じた前記緊急時連送回数が設定された前記緊急時起動信号を生成する、
ことを特徴とする、通信システム。
【請求項２】
前記操作卓は、
音声データの入力を受け付ける音声入力部と、
前記音声入力部によって入力が受け付けられた前記音声データを順次に出力する音声出力部と、
前記親局から音声入力要求を受信する音声入力要求受信部と、
前記音声入力要求受信部によって前記音声入力要求が受信されてから、前記音声入力部による前記音声データ入力の受け付けを開始させるように制御する音声制御部と、
をさらに備え、
前記親局は、
前記操作卓から出力された前記音声データの入力を順次に受け付ける音声入力部と、
前記音声入力部によって入力が受け付けられた前記音声データを、前記アンテナを介して順次に前記子局に送信する音声制御部と、
前記子局に前記音声入力要求を送信する音声入力要求送信部と、
をさらに備え、
前記信号処理部により、前記アンテナを介して前記呼出信号の前記子局への送信が完了してから前記音声入力要求送信部に前記音声入力要求を送信させる、
ことを特徴とする、請求項１に記載の通信システム。
【請求項３】
前記操作卓は、
前記操作入力部により、前記操作情報とともに緊急時であることを示す緊急指定情報の入力を受け付け、
前記操作入力部によって前記緊急指定情報の入力が受け付けられると、緊急時に子局に送信される呼出信号の送信回数を示す緊急時連送回数が設定された信号である緊急時起動信号を生成する緊急時連送回数設定部をさらに備え、
前記起動信号出力部は、
前記緊急時連送回数設定部によって生成された前記緊急時起動信号を出力する、
ことを特徴とする、請求項１に記載の通信システム。
【請求項４】
緊急情報送信装置から送信された情報である緊急情報を受信する緊急情報受信部と、
前記緊急情報受信部によって前記緊急情報が受信されると、緊急時に子局に送信される呼出信号の送信回数を示す緊急時連送回数が設定された信号である緊急時起動信号を生成する緊急時起動信号生成部と、
前記緊急時起動信号を出力する緊急時起動信号出力部と、
を備え、
前記緊急時起動信号生成部は、前記緊急情報受信部によって受信された前記緊急情報に応じた前記緊急時連送回数が設定された前記緊急時起動信号を生成する、
ことを特徴とする、緊急情報受信装置。
【請求項５】
前記緊急時起動信号生成部は、
Ａを災害が発生するまでの時間、Ｂを親局が前記子局に前記呼出信号を送信するために要する時間の他に通信システムが固定的に行う必要がある処理に要する時間、Ｃを前記親局が前記子局に前記呼出信号を１回送信するのに要する時間として、Ｂ＋ｎＣ＜Ａを満たす最大の自然数ｎを前記緊急時連送回数として決定する、
ことを特徴とする、請求項４に記載の緊急情報受信装置。
【発明の詳細な説明】
【技術分野】
【０００１】
本発明は、通信システムおよび緊急情報受信装置に関するものである。
【背景技術】
【０００２】
従来、親局から無線信号によって送信された音声データ（以下、「放送メッセージ」とも言う。）に基づいて子局が音声をスピーカから出力する通信システムにおいて、親局は、子局を呼び出すための呼出信号を子局に送信する。子局は親局から呼出信号を受信すると音声データに基づいた音声出力のための準備を開始し、音声出力の機能が起動される。このような通信システムは、例えば、防災目的で用いられ、親局が市役所の防災対策課に設置され、子局が地域の公民館などに設置される。そして、親局から子局には、例えば、「こちらは広報○○です。ただいま大雨洪水警報が発令されました。厳重に警戒して下さい。」といったような音声データが送信される。
【０００３】
呼出信号は、大抵の場合には親局から子局に連続的に送信される（以下、「連送される」とも言う。）。これは、親局から送信された呼出信号が子局によって確実に受信されることを期待することによる。しかしながら、子局は、呼出信号を受信している間は音声出力のための準備を行わず、呼出信号の受信が完了してから音声出力のための準備を行うため、親局から子局に連続的に送信される呼出信号の送信回数（以下、「連送回数」とも言う。）が増えるにつれて、子局による音声出力開始のタイミングが遅れることになる。特に緊急時には、子局による音声出力開始のタイミングを早める必要が生じる。
【０００４】
例えば、親局から子局に送信される信号の連送回数を子局別に変更する技術について開示されている（例えば、特許文献１を参照。）。このような技術によれば、信号の受信を早く完了させたい子局に対して、親局はより少ない連送回数によって信号を送信することができ、通信所要時間の短縮を図ることができる。
【先行技術文献】
【特許文献】
【０００５】
【特許文献１】特開２００５−２２３３８９号公報
【発明の概要】
【発明が解決しようとする課題】
【０００６】
しかしながら、例えば、特許文献１に開示された技術によれば、親局から子局に送信される信号の連送回数を子局別に変更することは可能であるが、音声データの緊急度に応じて連送回数を変更することはできないという問題があった。すなわち、例えば、親局が地震情報などのような緊急性を要する音声データを子局に送信する場合には子局による音声出力開始のタイミングを早める必要があるが、音声データの緊急度に応じて子局による音声出力開始のタイミングを変更することはできない。
【０００７】
そこで、本発明は、上記問題に鑑みてなされたものであり、本発明の目的とするところは、音声データの緊急度に応じて親局から子局に送信される呼出信号の連送回数を変更することが可能な技術を提供することにある。
【課題を解決するための手段】
【０００８】
上記問題を解決するために、本発明のある観点によれば、緊急情報送信装置から送信された情報である緊急情報を受信する緊急情報受信部と、緊急情報受信部によって緊急情報が受信されると、緊急時に子局に送信される呼出信号の送信回数を示す緊急時連送回数が設定された信号である緊急時起動信号を生成する緊急時起動信号生成部と、緊急時起動信号を出力する緊急時起動信号出力部と、を備える、緊急情報受信装置と、緊急情報受信装置から出力された緊急時起動信号の入力を受け付ける緊急時起動信号入力部と、子局を呼び出すための操作情報の入力をオペレータから受け付ける操作入力部と、操作入力部によって操作情報の入力が受け付けられると、通常時に子局に呼出信号を送信するための信号である通常時起動信号を生成する通常時起動信号生成部と、緊急時起動信号入力部によって緊急時起動信号の入力が受け付けられた場合には緊急時起動信号を出力し、通常時起動信号生成部によって通常時起動信号が生成された場合には通常時起動信号を出力する起動信号出力部と、を備える、操作卓と、通常時に子局に送信される呼出信号の送信回数を示す通常時連送回数を記憶する記憶部と、操作卓から出力された緊急時起動信号または通常時起動信号の入力を受け付ける起動信号入力部と、起動信号入力部によって緊急時起動信号が入力された場合には、緊急時起動信号に設定された緊急時連送回数分、アンテナを介して呼出信号を子局に送信し、起動信号入力部によって通常時起動信号が入力された場合には、記憶部によって記憶された通常時連送回数分、アンテナを介して呼出信号を子局に送信する信号処理部と、を備える、親局と、を有することを特徴とする、通信システムが提供される。
【０００９】
操作卓は、音声データの入力を受け付ける音声入力部と、音声入力部によって入力が受け付けられた音声データを順次に出力する音声出力部と、親局から音声入力要求を受信する音声入力要求受信部と、音声入力要求受信部によって音声入力要求が受信されてから、音声入力部による音声データ入力の受け付けを開始させるように制御する音声制御部と、をさらに備え、親局は、操作卓から出力された音声データの入力を順次に受け付ける音声入力部と、音声入力部によって入力が受け付けられた音声データを、アンテナを介して順次に子局に送信する音声制御部と、子局に音声入力要求を送信する音声入力要求送信部と、をさらに備えることとしてもよい。そして、信号処理部により、アンテナを介して呼出信号の子局への送信が完了してから音声入力要求送信部に音声入力要求を送信させることとしてもよい。
【００１０】
操作卓は、操作入力部により、操作情報とともに緊急時であることを示す緊急指定情報の入力を受け付け、操作入力部によって緊急指定情報の入力が受け付けられると、緊急時に子局に送信される呼出信号の送信回数を示す緊急時連送回数が設定された信号である緊急時起動信号を生成する緊急時連送回数設定部をさらに備え、起動信号出力部は、緊急時連送回数設定部によって生成された緊急時起動信号を出力することとしてもよい。
【００１１】
緊急情報受信装置は、緊急時起動信号生成部により、緊急情報受信部によって受信された緊急情報に応じた緊急時連送回数が設定された緊急時起動信号を生成することとしてもよい。
【００１２】
また、本発明の別の観点によれば、緊急情報送信装置から送信された情報である緊急情報を受信する緊急情報受信部と、緊急情報受信部によって緊急情報が受信されると、緊急時に子局に送信される呼出信号の送信回数を示す緊急時連送回数が設定された信号である緊急時起動信号を生成する緊急時起動信号生成部と、緊急時起動信号を出力する緊急時起動信号出力部と、を備えることを特徴とする、緊急情報受信装置が提供される。
【００１３】
緊急時起動信号生成部は、Ａを災害が発生するまでの時間、Ｂを親局が子局に呼出信号を送信するために要する時間の他に通信システムが固定的に行う必要がある処理に要する時間、Ｃを親局が子局に呼出信号を１回送信するのに要する時間として、Ｂ＋ｎＣ＜Ａを満たす最大の自然数ｎを緊急時連送回数として決定することとしてもよい。
【発明の効果】
【００１４】
以上説明したように本発明によれば、音声データの緊急度に応じて親局から子局に送信される呼出信号の連送回数を変更することが可能となる。
【図面の簡単な説明】
【００１５】
【図１】本発明の実施形態に係る通信システムの構成を示す図である。
【図２】同実施形態に係る緊急情報受信装置の機能構成を示す図である。
【図３】同実施形態に係る操作卓の機能構成を示す図である。
【図４】同実施形態に係る親局の機能構成を示す図である。
【図５】同実施形態に係る子局の機能構成を示す図である。
【図６】同実施形態に係る通信システムによって実行される処理（緊急情報受信装置によって緊急情報が受信された場合）の流れを示すシーケンス図である。
【図７】同実施形態に係る通信システムによって実行される処理（操作卓によってオペレータから操作情報の入力が受け付けられた場合）の流れを示すシーケンス図である。
【図８】同実施形態に係る通信システムによって実行される処理（オペレータから緊急時操作がなされた場合）の流れを示すシーケンス図である。
【図９】同実施形態に係る通信システムによって実行される処理（緊急情報に基づいて連送回数を変更する場合）の流れを示すシーケンス図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
［構成の説明］
図１は、本発明の実施形態に係る通信システムの構成を示す図である。図１を参照して、本発明の実施形態に係る通信システムの構成について説明する。図１に示すように、本発明の実施形態に係る通信システム１０は、緊急情報送信装置４００から緊急情報を受信する緊急情報受信装置１００と、オペレータによって使用される操作卓１１０と、操作卓１１０から送信された各種情報に基づいて音声データを送信する親局１５０と、親局１５０から送信された音声データに基づいて音声を出力する子局２００とを有するものである。ただし、緊急情報受信装置１００と操作卓１１０と親局１５０と子局２００とのすべての組み合わせだけでなく、これらの一部の組み合わせを通信システム１０と称する場合もある。
【００１８】
通信システム１０が適用されるシステムの形態は特に限定されるものではないが、上記したように、例えば、通信システム１０は、例えば、防災目的で使用されるシステムなどに適用されることが想定される。通信システム１０が防災目的で使用されるシステムに適用される場合としては、例えば、子局２００が地域の公民館などに設置され、親局１５０が市役所の防災対策課に設置される場合などが想定される。その場合には、市役所の職員がオペレータとなって操作卓１１０を操作して音声データを入力し、親局１５０を介して子局２００に音声データを出力させ、公民館に集う住民の安全を守ることとなる。
【００１９】
緊急情報送信装置４００は、例えば、衛星に備えられているものであり、例えば、緊急情報が入力されると、入力された緊急情報を緊急情報受信装置１００に送信する。緊急情報としては、例えば、気象庁の職員などから送信される地震情報、防衛庁の職員などから送信される空襲情報などの情報が想定されるが、どのような情報であっても構わない。また、緊急情報送信装置４００は、例えば、衛星に備えられていなくてもよく、設置型のコンピュータによって構成され、緊急情報受信装置１００と有線によって接続され、有線を介して緊急情報受信装置１００に緊急情報を送信することができることとしてもよい。
【００２０】
緊急情報受信装置１００は、上記したように緊急情報送信装置４００から緊急情報を受信するものであり、緊急情報送信装置４００から緊急情報を受信した場合には、緊急時に子局２００に送信される呼出信号の連送回数（以下、「緊急時連送回数」とも言う。）が設定された緊急時起動信号を生成して操作卓１１０に送信する。緊急情報受信装置１００は、例えば、緊急情報送信装置４００から受信した情報をすべて緊急情報として取り扱うことができる。緊急時連送回数は、通常時に子局２００に送信される呼出信号の連送回数（以下、「通常時連送回数」とも言う。）よりも少ないことが想定される。これにより、緊急時には子局２００による音声出力開始のタイミングを比較的早くして緊急性を重視することができ、通常時には子局２００により確実に呼出信号を受信させることができる。緊急情報受信装置１００と操作卓１１０との接続は、典型的には有線によるものであるが、有線に限定されるものではなく、無線によるものであってもよい。
【００２１】
操作卓１１０は、上記したようにオペレータによって使用されるものであり、オペレータが音声データを順次に入力するための構成を備えている。オペレータが音声データを順次に入力するための構成としては、例えば、マイクを使用することができる。この場合には、オペレータが放送内容を読み上げることでマイクを介して音声データを順次に入力することができる。また、オペレータが音声データを順次に入力するための構成は、マイクに限定されるものではなく、音声データが記録されている音源メモリなどであってもよい。オペレータは、例えば、音源メモリに記録されている音声データを再生するための操作を行うことによって音声データを再生させ、音声データを入力することができる。
【００２２】
操作卓１１０は、緊急情報受信装置１００から緊急時起動信号を受信した場合には、親局１５０に緊急時起動信号を送信することができる。また、操作卓１１０は、子局２００を呼び出すための操作情報の入力をオペレータから受け付けると、通常時に子局２００に呼出信号を送信するための信号である通常時起動信号を生成して親局１５０に送信することができる。
【００２３】
操作卓１１０は、順次に入力された音声データを親局１５０に送信するが、送信するタイミングを調整することもできる。すなわち、子局２００に緊急時起動信号が送信される場合には、子局２００による音声出力開始のタイミングが比較的早いことが想定される。そのため、操作卓１１０は、音声データを比較的早く送信すればよい。他方において、子局２００に通常時起動信号が送信される場合には、子局２００による音声出力開始のタイミングが比較的遅いことが想定される。そのため、操作卓１１０は、音声データを比較的遅く送信すればよい。操作卓１１０と親局１５０との接続は、典型的には有線によるものであるが、有線に限定されるものではなく、無線によるものであってもよい。
【００２４】
親局１５０は、操作卓１１０から緊急時起動信号が入力されると緊急時起動信号に設定された緊急時連送回数分、呼出信号を子局２００に送信し、操作卓１１０から通常時起動信号が入力された場合には、自局内に保持している通常時連送回数分、呼出信号を子局に送信する。また、親局１５０は、操作卓１１０から受信した音声データを順次に子局２００に送信する。親局１５０と子局２００との接続は、典型的には無線によるものであるが、無線に限定されるものではなく、有線によるものであってもよい。
【００２５】
子局２００は、親局１５０から受信した音声データを順次に音声として出力するものである。子局２００は、親局１５０からの呼出信号の受信が完了してから音声出力のための準備を行い、音声出力のための準備が完了してから音声出力を開始する。したがって、親局１５０から送信される呼出信号の連送回数が少ないほど子局２００によって音声出力が開始されるタイミングを早めることができ、親局１５０から送信される呼出信号の連送回数が多いほど子局２００によって呼出信号が受信される可能性を高めることができる。音声出力のための準備とは、子局２００に備えられているスピーカから音声出力を開始するために必要な各種の制御処理を意味するものとする。
【００２６】
図１には、通信システム１０が子局２００の例として子局２００Ａ〜子局２００Ｃを有する場合について示されている。しかしながら、通信システム１０が有する子局２００の数は特に限定されるものではない。また、図１に示した例では、子局２００Ａ、子局２００Ｂは、親局１５０から送信された無線信号を直接受信しており、子局２００Ｃは、親局１５０から送信された無線信号を、中継局３００を介して受信している。このように、子局２００は、親局１５０から送信された無線信号を直接的に受信してもよいし、中継局３００などを介して間接的に受信してもよい。
【００２７】
このような構成により、音声データの緊急度に応じて、子局２００に送信される呼出信号の連送回数を調整することができる。本実施形態では、通信システム１０は、主に、緊急情報受信装置１００によって情報が受信された場合には緊急時であるとして動作し、操作卓１１０によって操作情報の入力が受け付けられた場合には通常時であるとして動作する。緊急時には通常時よりも少ない連送回数によって呼出信号が子局２００に送信される。これにより、緊急時には、音声データ伝達の緊急性を重視して、子局２００によって音声出力が開始されるタイミングを早めることができる。また、通常時には、音声データ伝達の確実性を重視して、より確実に子局２００に呼出信号を受信させることができる。より確実に子局２００に呼出信号を受信させることによって、より確実に子局２００に音声出力の準備を開始させ、より確実に子局２００に音声を出力させることができる。
【００２８】
図２は、本発明の実施形態に係る緊急情報受信装置の機能構成を示す図である。図２を参照して、本発明の実施形態に係る緊急情報受信装置の機能構成について説明する。上記したように、本発明の実施形態に係る緊急情報受信装置は、緊急情報送信装置４００から緊急情報を受信するものである。図２に示すように、緊急情報受信装置１００は、アンテナ１０１に接続された緊急情報受信部１０２と、緊急時起動信号生成部１０３と、記憶部１０４と、緊急時起動信号出力部１０５とを備えるものである。各ブロックについて説明する。
【００２９】
緊急情報受信部１０２は、緊急情報送信装置４００から送信された情報である緊急情報を受信する機能を有するものである。緊急情報送信装置４００が衛星に備えられている場合などには、アンテナ１０１を介して緊急情報送信装置４００から緊急情報を受信する。しかし、緊急情報送信装置４００と緊急情報受信装置１００とが有線によって接続されている場合などには、アンテナ１０１は存在しないこととしてもよい。緊急情報としては、上記したように、様々なものが想定される。
【００３０】
緊急時起動信号生成部１０３は、緊急情報受信部１０２によって緊急情報が受信されると、緊急時に子局２００に送信される呼出信号の送信回数を示す緊急時連送回数が設定された信号である緊急時起動信号を生成するものである。ここで設定される緊急時連送回数としては、例えば、記憶部１０４によって記憶されている緊急時連送回数Ｅ１を使用することができる。すなわち、緊急時起動信号生成部１０３は、例えば、記憶部１０４によって記憶されている緊急時連送回数Ｅ１を取得し、取得した緊急時連送回数Ｅ１を設定した緊急時起動信号を生成することができる。上記したように、緊急時連送回数Ｅ１は、通常時連送回数よりも少ないことが想定され、例えば、３回などであることが想定されるが特に限定されるものではない。緊急時連送回数Ｅ１は、例えば、通信システム１０の管理者などによって適宜変更することが可能である。
【００３１】
緊急時起動信号のフォーマットは、緊急時連送回数を設定することが可能であれば特に限定されるものではなく、通常時起動信号のフォーマットと同一でもよいし異なっていてもよい。なお、緊急時起動信号生成部１０３は、例えば、緊急情報に応じた音声データを選択し、選択した音声データを識別するための選択情報を緊急時起動信号に設定してもよい。その場合には、操作卓１１０の音源制御部１３４が、緊急時起動信号に設定された選択情報によって選択される音声データを音源メモリ１１４から取得して音声出力部１４２を介して親局１５０に出力することとすればよい。
【００３２】
緊急時起動信号生成部１０３は、緊急情報受信部１０２によって受信された緊急情報に応じた緊急時連送回数が設定された緊急時起動信号を生成することも可能である。例えば、緊急時起動信号生成部１０３は、緊急情報受信部１０２によって受信された緊急情報に地震速報が含まれている場合には、地震速報に示された震度によって緊急時連送回数を変更してもよい。例えば、緊急時起動信号生成部１０３は、震度が高いほど緊急時連送回数を少なくすることができる。
【００３３】
また、緊急時起動信号生成部１０３は、地震速報に示された地震到達までの時間によって緊急時連送回数を変更することとしてもよい。緊急時起動信号生成部１０３は、例えば、以下の式（１）を満たす最大の自然数ｎによって緊急時連送回数を決定することができる。
【００３４】
Ｂ＋ｎＣ  ＜  Ａ    ・・・（１）
【００３５】
ここで、Ａは上記した地震到達までの時間を示すものであり、地震到達までの時間とは、例えば、小さな揺れを検知してから大きな揺れを検知するまでにかかる時間とすることができる。小さな揺れは、一般的にＰ波と言われ、大きな揺れは、一般的にＳ波と言われる。Ｐ波を検知してからＳ波を検知するまでの時間は、一般的に初期微動継続時間と言われる。Ｂは定数であり、親局１５０が子局２００に呼出信号を送信するために要する時間の他に通信システム１０が固定的に行う必要がある処理に要する時間を示すものである。Ｃは親局１５０が子局２００に呼出信号を１回送信するのに要する時間を示すものである。
【００３６】
このようにして緊急情報受信装置１００が緊急時連送回数ｎを決定し、緊急情報受信装置１００によって決定された緊急時連送回数によって呼出信号を子局２００に送信するようにすれば、地震到達前に子局２００から音声を出力し始めることが可能である。また、緊急時連送回数ｎが小さくなりすぎることを防止することもできるため、子局２００に呼出信号が届く可能性の低下を制限することができるという効果も期待できる。
【００３７】
地震速報に限らず、緊急情報受信装置１００によって受信される緊急情報には様々なものが想定される。例えば、緊急情報は、空襲警報や、台風情報、津波情報などの災害情報である可能性もある。緊急時起動信号生成部１０３は、例えば、空襲が発生するまでの時間や、台風が上陸するまでの時間、津波が届くまでの時間などといった災害が発生するまでの時間を上記したＡに見立てて式（１）によって緊急時連送回数を決定することができる。
【００３８】
緊急時起動信号生成部１０３が、例えば、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）によって構成される場合には、ＣＰＵが記憶部１０４によって記憶されているプログラムをＲＡＭに展開し、展開したプログラムを実行することによって緊急時起動信号生成部１０３が有する機能が実現される。ＣＰＵは、プログラムを実行する過程において必要に応じて、記憶部１０４によって記憶されているデータを使用することができる。また、緊急時起動信号生成部１０３は、専用のハードウェアによって構成されることとしてもよい。
【００３９】
記憶部１０４は、緊急時連送回数Ｅ１を記憶する機能を有するものである。また、緊急時起動信号生成部１０３がＣＰＵやＲＡＭによって構成される場合には、ＣＰＵによって実行されるプログラムやそのプログラムが実行される段階において使用されるデータなどを記憶する機能をさらに有する。
【００４０】
緊急時起動信号出力部１０５は、緊急時起動信号生成部１０３によって生成された緊急時起動信号を出力する機能を有するものである。緊急時起動信号出力部１０５によって出力された緊急時起動信号は、操作卓１１０に入力される。上記したように、緊急時起動信号出力部１０５から出力された緊急時起動信号は、有線を介して操作卓１１０に入力されることが想定されるが、無線を介して操作卓１１０に入力されることとしてもよい。
【００４１】
図３は、本発明の実施形態に係る操作卓の機能構成を示す図である。図２を参照して、本発明の実施形態に係る操作卓の機能構成について説明する。上記したように、本発明の実施形態に係る操作卓１１０は、オペレータによって使用されるものである。図３に示すように、操作卓１１０は、緊急時起動信号入力部１１１と、操作入力部１１２と、音声データの入力を受け付ける音声入力部の例としてのマイク１１３や音源メモリ１１４と、音声入力要求受信部１１５と、記憶部１２１と、緊急時連送回数設定部１３１と、操作制御部１３２と、通常時起動信号生成部１３３と、音源制御部１３４と、起動信号出力部１４１と、音声出力部１４２とを備えるものである。各ブロックについて説明する。
【００４２】
緊急時起動信号入力部１１１は、緊急情報受信装置１００から出力された緊急時起動信号の入力を受け付ける機能を有するものである。図３に示した例では、緊急時起動信号入力部１１１によって入力が受け付けられた緊急時起動信号は、緊急時連送回数設定部１３１に出力されることとしているが、起動信号出力部１４１に直接出力されてもよい。緊急時起動信号入力部１１１が緊急時起動信号を起動信号出力部１４１に直接出力した場合には、緊急時起動信号は、起動信号出力部１４１によって親局１５０に出力される。
【００４３】
操作入力部１１２は、子局２００を呼び出すための操作情報の入力をオペレータから受け付ける機能を有するものである。オペレータは、例えば、子局２００から音声を出力させたいと考えた場合に、子局２００に送信する音声データを指定する前に子局２００に音声出力開始の準備をさせるための操作を行う必要がある。例えば、この操作によって上記した操作情報がオペレータから入力される。
【００４４】
操作入力部１１２は、操作情報とともに緊急時であることを示す緊急指定情報の入力を受け付けることも可能である。操作入力部１１２によって緊急指定情報の入力が受け付けられた場合には、緊急時起動信号が親局１５０に出力される。本実施形態では、マイク１１３と音源メモリ１１４との双方を使用することとするが、このような場合には、オペレータが音声入力部としてマイク１１３および音源メモリ１１４のうちのいずれを使用するかを選択するための選択情報を操作入力部１１２に入力することとすればよい。また、音源制御部１３４は、その選択情報によって選択されたものを使用することとすればよい。
【００４５】
マイク１１３は、音声入力部の一例として機能するものであり、オペレータから音声データの入力を順次に受け付ける機能を有するものである。マイク１１３は、オペレータが読み上げる放送内容の入力を音声データの入力として順次に受け付け、入力を受け付けた音声データを順次に音源制御部１３４に出力する。
【００４６】
音源メモリ１１４は、音声入力部の一例として機能するものであり、音声データの記録媒体としての機能を有するものである。オペレータによって音源メモリ１１４に記録されている音声データを再生するための操作が入力されると、音源メモリ１１４に記録されている音声データが音源制御部１３４によって再生されて取得される。
【００４７】
音声入力要求受信部１１５は、親局１５０から音声入力要求を受信する機能を有するものである。音声入力要求受信部１１５によって受信された音声入力要求は、音源制御部１３４に出力される。ただし、音声入力要求の受信とは無関係に音源制御部１３４が音声データの取得を開始する場合などには、音声入力要求受信部１１５は特に存在しないこととしてもよい。音声入力要求については、親局１５０についての説明箇所において詳細に述べる。
【００４８】
緊急時連送回数設定部１３１は、緊急時起動信号入力部１１１によって入力が受け付けられた緊急時起動信号に緊急時連送回数が設定されていない場合には、緊急時連送回数を設定する機能を有するものである。また、緊急時連送回数設定部１３１は、操作入力部１１２によって緊急指定情報の入力が受け付けられると、緊急時連送回数が設定された信号である緊急時起動信号を生成する機能を有するものである。
【００４９】
ここで設定される緊急時連送回数としては、例えば、記憶部１２１によって記憶されている緊急時連送回数Ｅ２を使用することができる。すなわち、緊急時連送回数設定部１３１は、例えば、記憶部１２１によって記憶されている緊急時連送回数Ｅ２を取得し、取得した緊急時連送回数Ｅ２を設定した緊急時起動信号を生成することができる。上記したように、緊急時連送回数Ｅ２は、通常時連送回数よりも少ないことが想定され、緊急時連送回数Ｅ１と同じ値であっても異なる値であってもよい。緊急時連送回数Ｅ２は、例えば、通信システム１０の管理者などによって適宜変更することが可能である。
【００５０】
操作制御部１３２は、操作入力部１１２によって操作情報の入力が受け付けられた場合に、操作情報とともに緊急指定情報の入力が受け付けられたか否かを判断する機能を有するものである。操作制御部１３２は、操作入力部１１２によって操作情報とともに緊急指定情報の入力が受け付けられたと判断した場合には、緊急時連送回数設定部１３１に緊急時起動信号を生成させる。操作制御部１３２は、操作入力部１１２によって操作情報とともに緊急指定情報の入力が受け付けられていないと判断した場合には、通常時起動信号生成部１３３に通常時起動信号を生成させる。
【００５１】
通常時起動信号生成部１３３は、操作入力部１１２によって操作情報の入力が受け付けられると、通常時に子局２００に呼出信号を送信するための信号である通常時起動信号を生成する機能を有するものである。通常時起動信号のフォーマットは、通常時連送回数を設定することが可能であれば特に限定されるものではなく、上記したように緊急時起動信号のフォーマットと同一でもよいし異なっていてもよい。通常時起動信号生成部１３３によって生成された通常時起動信号は、起動信号出力部１４１に出力される。
【００５２】
音源制御部１３４は、上記したように、マイク１１３または音源メモリ１１４から音声データを順次に取得し、取得した音声データを順次に音声出力部１４２に出力する機能を有するものである。音源制御部１３４は、電源から操作卓１１０に電力が供給されている間は、マイク１１３または音源メモリ１１４から音声データを常に取得することとしてもよいが、所定の間だけマイク１１３または音源メモリ１１４から音声データを取得することとしてもよい。例えば、本実施形態では、音源制御部１３４は、音声入力要求受信部１１５によって親局１５０から音声入力要求が受信されたことを契機にマイク１１３または音源メモリ１１４から音声データを取得することとする。また、音源制御部１３４は、オペレータから音声データの入力を開始するための操作がなされてから音声データの入力を終了するための操作がなされるまでの間のみマイク１１３または音源メモリ１１４から音声データを取得することとしてもよい。
【００５３】
音源制御部１３４は、起動信号出力部１４１によって通常時起動信号が出力されてから音声出力部１４２によって音声データの出力が開始されるまでの時間が、起動信号出力部１４１によって緊急時起動信号が出力されてから音声出力部１４２によって音声データの出力が開始されるまでの時間よりも長くなるように制御することとしてもよい。これは、緊急時よりも通常時のほうが、子局２００によって受信される呼出信号の連送回数が多く、子局２００による音声出力開始のタイミングが遅れることによる。音源制御部１３４は、例えば、音声入力要求受信部１１５によって音声入力要求が受信されたことをトリガとしてマイク１１３または音源メモリ１１４から音声の入力を受け付けるようにすればよい。
【００５４】
音源制御部１３４は、緊急時起動信号に設定された緊急時連送回数が少ないほど、起動信号出力部１４１によって緊急時起動信号が出力されてから音声出力部１４２によって音声データの出力が開始されるまでの時間が短くなるように制御することとしてもよい。ここでいう緊急時起動信号は、緊急時起動信号入力部１１１によって入力された緊急時起動信号を主に意味するが、緊急時連送回数設定部１３１によって緊急時連送回数が設定された緊急時起動信号や、緊急時連送回数設定部１３１によって生成された緊急時起動信号であってもよい。これは、子局２００によって受信される呼出信号の連送回数が少ないほど、子局２００による音声出力開始のタイミングが早まることによる。上記したように音源制御部１３４は、例えば、音声入力要求受信部１１５によって音声入力要求が受信されたことをトリガとしてマイク１１３または音源メモリ１１４から音声の入力を受け付けるようにすればよい。
【００５５】
なお、例えば、オペレータは音声データを選択し、選択した音声データを識別するための選択情報を操作入力部１１２に入力してもよい。その場合には、操作入力部１１２が選択情報の入力を受け付け、音源制御部１３４は、操作入力部１１２によって入力が受け付けられた選択情報によって選択される音声データを音源メモリ１１４から取得して音声出力部１４２を介して親局１５０に出力することとすればよい。
【００５６】
緊急時連送回数設定部１３１、操作制御部１３２、通常時起動信号生成部１３３、音源制御部１３４などは、例えば、ＣＰＵやＲＡＭによって構成され、ＣＰＵが記憶部１２１に記憶されているプログラムをＲＡＭに展開し、展開したプログラムを実行することによってこれらのブロックの機能が実現される。ＣＰＵは、プログラムを実行する過程において必要に応じて、記憶部１２１によって記憶されているデータを使用することができる。また、また、これらのブロックは、専用のハードウェアによって構成されることとしてもよい。
【００５７】
起動信号出力部１４１は、緊急時起動信号入力部１１１によって緊急時起動信号の入力が受け付けられた場合には緊急時起動信号を出力し、通常時起動信号生成部１３３によって通常時起動信号が生成された場合には通常時起動信号を出力する機能を有するものである。また、起動信号出力部１４１は、緊急時連送回数設定部１３１から入力された緊急時起動信号を出力する機能を有する。起動信号出力部１４１によって出力された緊急時起動信号または通常時起動信号は、親局１５０に出力される。
【００５８】
音声出力部１４２は、親局１５０に音声データを順次に出力する機能を有するものである。ここで出力される音声データは、音源制御部１３４によって取得されたものである。起動信号出力部１４１によって出力される起動信号と音声出力部１４２によって出力される音声データと親局１５０から送信される音声入力要求とは、異なる回線を介して伝達されることとしてもよいし、同一の回線を介して伝達されることとしてもよい。
【００５９】
図４は、本発明の実施形態に係る親局の機能構成を示す図である。図４を参照して、本発明の実施形態に係る親局の機能構成について説明する。上記したように、本発明の実施形態に係る親局１５０は、子局２００に呼出信号を連送した後、子局２００に音声データを送信するものである。図４に示すように、親局１５０は、起動信号入力部１５１と、音声入力部１５２と、記憶部１６１と、信号処理部１７１と、音声制御部１７２と、アンテナ１８２と接続された無線処理部１７３と、音声入力要求送信部１８１とを備えるものである。各ブロックについて説明する。
【００６０】
起動信号入力部１５１は、操作卓１１０から出力された緊急時起動信号または通常時起動信号の入力を受け付ける機能を有するものである。起動信号入力部１５１によって入力が受け付けられた緊急時起動信号または通常時起動信号は、信号処理部１７１に出力される。
【００６１】
音声入力部１５２は、操作卓１１０から音声データの入力を順次に受け付ける機能を有するものである。音声入力部１５２は、入力を受け付けた音声データを順次に音声制御部１７２に出力する。上記したように、起動信号と音声データとは、異なる回線を介して操作卓１１０から入力されることとしてもよく、同一の回線を介して操作卓１１０から入力されることとしてもよい。
【００６２】
記憶部１６１は、通常時に子局２００に送信される呼出信号の送信回数を示す通常時連送回数Ｎを記憶する機能を有するものである。また、信号処理部１７１や音声制御部１７２がＣＰＵやＲＡＭによって構成される場合には、ＣＰＵによって実行されるプログラムやそのプログラムが実行される段階において使用されるデータなどを記憶する機能をさらに有する。
【００６３】
信号処理部１７１は、子局２００を起動させるための呼出信号の生成から音声入力要求送信部１８１を介した操作卓１１０への音声入力要求の送信までの処理を実行する機能を有する。すなわち、信号処理部１７１は、子局２００を起動させるための呼出信号を生成すると、アンテナ１８２を介して子局２００に送信し、起動が完了した子局２００に対して放送を開始するためのシーケンスを成立させた後、音声入力要求送信部１８１に操作卓１１０への音声入力要求の送信を実行させる。すなわち、信号処理部１７１は、アンテナ１８２を介して呼出信号の子局２００への送信が完了してから音声入力要求送信部１８１に音声入力要求を送信させる。信号処理部１７１は、子局２００に送信する呼出信号の連送回数が多いほど呼出信号を送信し始めてから子局２００に対して放送を開始するためのシーケンスを成立させるまでに多くの時間を要し、操作卓１１０に音声入力要求を送信するタイミングが遅れることとなる。呼出信号のフォーマットとしては、例えば、デジタル防災行政無線の規格ＡＲＩＢ−ＳＴＤ−Ｔ８６において規定されているものを使用することができる。
【００６４】
信号処理部１７１は、起動信号入力部１５１によって緊急時起動信号が入力された場合には、緊急時起動信号に設定された緊急時連送回数分、アンテナ１８２を介して呼出信号を子局２００に送信する。また、信号処理部１７１は、起動信号入力部１５１によって通常時起動信号が入力された場合には、記憶部１６１によって記憶された通常時連送回数Ｎ分、アンテナ１８２を介して呼出信号を子局２００に送信する。上記したように、通常時連送回数Ｎは、緊急時連送回数よりも多いことが想定され、例えば、４回などであることが想定されるが特に限定されるものではない。通常時連送回数Ｎは、例えば、通信システム１０の管理者などによって適宜変更することが可能である。
【００６５】
音声制御部１７２は、音声入力部１５２によって順次に入力が受け付けられた音声データに対して雑音を取り除く処理などを適宜行う機能を有するものである。操作卓１１０が静かな場所に設置されている場合など、音声データから雑音を取り除く処理などが不要な場合には、音声制御部１７２は特に存在しないこととしてもよい。音声制御部１７２によって処理がなされた音声データは、無線処理部１７３に出力される。
【００６６】
信号処理部１７１や音声制御部１７２は、例えば、ＣＰＵやＲＡＭによって構成され、ＣＰＵが、記憶部１６１によって記憶されているプログラムをＲＡＭに展開して実行することによって信号処理部１７１や音声制御部１７２の機能が実現される。また、信号処理部１７１や音声制御部１７２は、専用のハードウェアによって構成されていることとすることもできる。
【００６７】
無線処理部１７３は、信号処理部１７１や音声制御部１７２から出力された信号を子局２００に送信するための信号に変調して、アンテナ１８２に出力する機能を有するものである。また、無線処理部１７３は、アンテナ１８２から出力された信号を信号処理部１７１で処理するための信号に復調して、信号処理部１７１に出力する機能を有するものである。
【００６８】
音声入力要求送信部１８１は、操作卓１１０に音声入力要求を送信する機能を有するものである。ただし、上記したように、音声入力要求の送信とは無関係に操作卓１１０が音声データの取得を開始する場合などには、音声入力要求送信部１８１は特に存在しないこととしてもよい。音声入力要求送信部１８１によって送信される音声入力要求は、信号処理部１７１によって生成される。上記したように、操作卓１１０から出力される起動信号と音声データと音声入力要求送信部１８１によって送信される音声入力要求とは、異なる回線を介して伝達されることとしてもよいし、同一の回線を介して伝達されることとしてもよい。
【００６９】
アンテナ１８２は、音声入力部１５２によって入力が受け付けられた音声データを無線信号によって子局２００に送信する機能を有するものである。音声入力部１５２によって入力が受け付けられた音声データは、音声制御部１７２によって処理がなされてからアンテナ１８２によって子局２００に送信されてもよい。アンテナ１８２は、通信部の一例として機能するものである。
【００７０】
図５は、本発明の実施形態に係る子局の機能構成を示す図である。図５を参照して、本発明の実施形態に係る子局の機能構成について説明する。上記したように、本発明の実施形態に係る子局２００は、親局１５０から呼出信号を受信し、受信が完了すると音声出力の準備を開始する。また、子局２００は、音声出力の準備が完了すると音声データを受信し、受信した音声データに基づいて音声を出力する。図５に示すように、子局２００は、アンテナ２１０に接続された無線処理部２２０と、信号処理部２３０と、音声制御部２４０と、スピーカ２５０とを備えるものである。各ブロックについて説明する。
【００７１】
アンテナ２１０は、親局１５０から送信された音声データと呼出信号とを無線信号によって受信する機能を有するものである。上記したように、アンテナ２１０は、親局１５０から送信された音声データや呼出信号を、中継局３００を介して無線信号によって受信することも可能である。アンテナ２１０によって受信された音声データと呼出信号とは、無線処理部２２０に出力される。アンテナ２１０は、通信部の一例として機能するものである。
【００７２】
無線処理部２２０は、アンテナ２１０から出力された信号を信号処理部２３０で処理するための信号に復調して、信号処理部２３０に出力する機能を有するものである。無線処理部２２０は、信号処理部２３０から出力された信号をアンテナ２１０から送信するための信号に変調してアンテナ２１０に出力する機能を有することとしてもよい。
【００７３】
信号処理部２３０は、自局を起動させるための呼出信号を、アンテナ２１０を介して受信すると、自局の起動を行い、起動が完了した後、親局１５０との間で放送を開始するためのシーケンスを成立させる。信号処理部２３０は、例えば、親局１５０からの呼出信号の受信が完了した後に、スピーカ２５０から音声を出力するための準備を行う。したがって、親局１５０から送信される呼出信号の連送回数が多い場合には、音声出力のための準備を開始するのが遅くなり、音声出力のための準備が完了するのも遅くなる。
【００７４】
音声制御部２４０は、無線処理部２２０を介して順次に入力が受け付けられた音声データに対して雑音を取り除く処理などを適宜行う機能を有するものである。親局１５０と子局２００との無線通信の状況が良好な場合など、音声データから雑音を取り除く処理などが不要な場合には、音声制御部２４０は特に存在しないこととしてもよい。音声制御部２４０によって処理がなされた音声データは、スピーカ２５０に出力される。
【００７５】
信号処理部２３０や音声制御部２４０は、例えば、ＣＰＵやＲＡＭによって構成され、ＣＰＵが、子局２００の図示しない記憶部によって記憶されているプログラムをＲＡＭに展開して実行することによって信号処理部２３０や音声制御部２４０の機能が実現される。また、信号処理部２３０や音声制御部２４０は、専用のハードウェアによって構成されていることとすることもできる。
【００７６】
スピーカ２５０は、音声データに基づいて音声を出力する機能を有するものである。スピーカ２５０は、音声出力部の一例として機能するものである。図５に示した例では、スピーカ２５０から出力された音声は、住民に届けられることとされているが、音声を届けるべき相手は住民に限らず、音声を聴く必要があると想定されるものであればどのような存在であってもよい。
【００７７】
［動作の説明］
図６は、本発明の実施形態に係る通信システムによって実行される処理（緊急情報受信装置によって緊急情報が受信された場合）の流れを示すシーケンス図である。図６を参照して、緊急情報受信装置によって緊急情報が受信された場合において通信システムによって実行される処理について説明する。
【００７８】
緊急情報受信装置１００は、緊急情報送信装置４００から緊急情報を受信すると（ステップＳ１０１）、緊急時連送回数が設定された緊急時起動信号を生成し（ステップＳ１０２）、生成した緊急時起動信号を操作卓１１０に出力する（ステップＳ１０３）。続いて、操作卓１１０は、緊急情報受信装置１００から緊急時起動信号の入力を受け付けると（ステップＳ１０４）、親局１５０に緊急時起動信号を出力する（ステップＳ１０５）。
【００７９】
親局１５０は、操作卓１１０から緊急時起動信号の入力を受け付けると（ステップＳ１０６）、緊急時起動信号に設定された緊急時連送回数分、子局２００に呼出信号を送信する（ステップＳ１０７）。ここでは、緊急時連送回数を３回としているが、緊急時連送回数は特に限定されるものではない。子局２００は、親局１５０から呼出信号を受信する（ステップＳ１０８ａ、ステップＳ１０８ｂ、ステップＳ１０８ｃ）。ここでは、親局１５０から送信された呼出信号が子局２００においてすべて受信できることとしているが、親局１５０から送信された呼出信号のすべてを子局２００において受信できるとは限らない。
【００８０】
子局２００は、親局１５０から呼出信号を受信し終わると、音声出力のための準備を行う（ステップＳ１０９）。操作卓１１０は、親局１５０から音声入力要求を受信すると、入力を受け付けた音声データを親局１５０に送信する（ステップＳ１１０）。親局１５０は、操作卓１１０から送信された音声データを受信すると（ステップＳ１１１）、受信した音声データを子局２００に送信する（ステップＳ１１２）。子局２００は、親局１５０から送信された音声データを受信すると（ステップＳ１１３）、受信した音声データに基づいて音声を出力する（ステップＳ１１４）。
【００８１】
図７は、本発明の実施形態に係る通信システムによって実行される処理（操作卓によってオペレータから操作情報の入力が受け付けられた場合）の流れを示すシーケンス図である。図７を参照して、操作卓によってオペレータから操作情報の入力が受け付けられた場合において通信システムによって実行される処理について説明する。
【００８２】
操作卓１１０は、オペレータから操作情報の入力を受け付けると（ステップＳ２０１）、通常時起動信号を生成し（ステップＳ２０２）、生成した通常時起動信号を親局１５０に出力する（ステップＳ２０３）。親局１５０は、操作卓１１０から通常時起動信号の入力を受け付けると（ステップＳ２０４）、自局内に保持している通常時連送回数分、子局２００に呼出信号を送信する（ステップＳ２０５）。ここでは、通常時連送回数を４回としているが、通常時連送回数は特に限定されるものではない。子局２００は、親局１５０から呼出信号を受信する（ステップＳ２０６ａ、ステップＳ２０６ｂ、ステップＳ２０６ｃ、ステップＳ２０６ｄ）。ここでは、親局１５０から送信された呼出信号が子局２００においてすべて受信できることとしているが、親局１５０から送信された呼出信号のすべてを子局２００において受信できるとは限らない。
【００８３】
子局２００は、親局１５０から呼出信号を受信し終わると、音声出力のための準備を行う（ステップＳ２０７）。操作卓１１０は、親局１５０から音声入力要求を受信すると、入力を受け付けた音声データを親局１５０に送信する（ステップＳ２０８）。親局１５０は、操作卓１１０から送信された音声データを受信すると（ステップＳ２０９）、受信した音声データを子局２００に送信する（ステップＳ２１０）。子局２００は、親局１５０から送信された音声データを受信すると（ステップＳ２１１）、受信した音声データに基づいて音声を出力する（ステップＳ２１２）。
【００８４】
図８は、本発明の実施形態に係る通信システムによって実行される処理（オペレータから緊急時操作がなされた場合）の流れを示すシーケンス図である。図８を参照して、オペレータから緊急時操作がなされた場合において通信システムによって実行される処理について説明する。
【００８５】
操作卓１１０は、オペレータから緊急時操作がなされた状態で操作情報の入力を受け付けると（ステップＳ３０１）、緊急時連送回数が設定された緊急時起動信号を生成し（ステップＳ３０２）、生成した緊急時起動信号を親局１５０に出力する（ステップ３２０３）。オペレータから緊急時操作がなされた状態で操作情報の入力を受け付けることは、上記した例では、操作入力部１１２によって操作情報とともに緊急指定情報の入力が受け付けられることに相当する。
【００８６】
親局１５０は、操作卓１１０から緊急時起動信号の入力を受け付けると（ステップＳ３０４）、緊急時起動信号に設定された緊急時連送回数分、子局２００に呼出信号を送信する（ステップＳ３０５）。ここでは、緊急時連送回数を３回としているが、緊急時連送回数は特に限定されるものではない。子局２００は、親局１５０から呼出信号を受信する（ステップＳ３０６ａ、ステップＳ３０６ｂ、ステップＳ３０６ｃ）。ここでは、親局１５０から送信された呼出信号が子局２００においてすべて受信できることとしているが、親局１５０から送信された呼出信号のすべてを子局２００において受信できるとは限らない。
【００８７】
子局２００は、親局１５０から呼出信号を受信し終わると、音声出力のための準備を行う（ステップＳ３０７）。操作卓１１０は、親局１５０から音声入力要求を受信すると、入力を受け付けた音声データを親局１５０に送信する（ステップＳ３０８）。親局１５０は、操作卓１１０から送信された音声データを受信すると（ステップＳ３０９）、受信した音声データを子局２００に送信する（ステップＳ３１０）。子局２００は、親局１５０から送信された音声データを受信すると（ステップＳ３１１）、受信した音声データに基づいて音声を出力する（ステップＳ３１２）。
【００８８】
図９は、本発明の実施形態に係る通信システムによって実行される処理（緊急情報に基づいて連送回数を変更する場合）の流れを示すシーケンス図である。図９を参照して、緊急情報に基づいて連送回数を変更する場合において通信システムによって実行される処理について説明する。
【００８９】
緊急情報受信装置１００は、緊急情報送信装置４００から緊急情報を受信すると（ステップＳ４０１）、緊急情報に基づいて緊急時連送回数を算出し（ステップＳ４０２）、算出した緊急時連送回数が設定された緊急時起動信号を生成し（ステップＳ４０３）、生成した緊急時起動信号を操作卓１１０に出力する（ステップＳ４０４）。続いて、操作卓１１０は、緊急情報受信装置１００から緊急時起動信号の入力を受け付けると（ステップＳ４０５）、親局１５０に緊急時起動信号を出力する（ステップＳ４０６）。
【００９０】
親局１５０は、操作卓１１０から緊急時起動信号の入力を受け付けると（ステップＳ４０７）、緊急時起動信号に設定された緊急時連送回数分、子局２００に呼出信号を送信する（ステップＳ４０８）。ここでは、緊急時連送回数を２回としているが、緊急時連送回数は特に限定されるものではない。子局２００は、親局１５０から呼出信号を受信する（ステップＳ４０９ａ、ステップＳ４０９ｂ）。ここでは、親局１５０から送信された呼出信号が子局２００においてすべて受信できることとしているが、親局１５０から送信された呼出信号のすべてを子局２００において受信できるとは限らない。
【００９１】
子局２００は、親局１５０から呼出信号を受信し終わると、音声出力のための準備を行う（ステップＳ４１０）。操作卓１１０は、親局１５０から音声入力要求を受信すると、入力を受け付けた音声データを親局１５０に送信する（ステップＳ４１１）。親局１５０は、操作卓１１０から送信された音声データを受信すると（ステップＳ４１２）、受信した音声データを子局２００に送信する（ステップＳ４１３）。子局２００は、親局１５０から送信された音声データを受信すると（ステップＳ４１４）、受信した音声データに基づいて音声を出力する（ステップＳ４１５）。
【００９２】
［効果の説明］
本発明の実施形態によれば、音声データの緊急度に応じて親局１５０から子局２００に送信される呼出信号の連送回数を変更することが可能となる。音声データの緊急度は、どのように決定してもよいが、本実施形態では、例えば、通信システム１０は、緊急情報受信装置１００において緊急情報送信装置４００から情報を受信した場合には緊急時であると判断し、親局１５０から子局２００に送信される呼出信号の連送回数を比較的少なくすることとした。また、例えば、通信システム１０は、オペレータから操作卓１１０に操作情報が入力された場合には通常時であると判断し、親局１５０から子局２００に送信される呼出信号の連送回数を比較的多くすることとした。
【００９３】
また、本実施形態において示したように、通信システム１０は、緊急情報受信装置１００が受信した内容に基づいて、緊急度を変更することも可能である。また、通信システム１０は、オペレータによって緊急時である旨を示す情報が操作卓１１０に入力された場合には、緊急時であると判断することも可能である。
【００９４】
このように、本実施形態によれば、通信システム１０は、親局１５０から子局２００に送信される呼出信号の連送回数を適宜変更することが可能である。子局２００は、呼出信号の連送回数が多い場合には、より確実に呼出信号を受信することができるが、音声出力の準備が完了するまでにより多くの時間を要することとなる。他方において、子局２００は、呼出信号の連送回数が少ない場合には、呼出信号を受信できない可能性が増えるものの、音声出力の準備が完了するまでの時間を短縮することができる。本実施形態によれば、呼出信号が子局２００に届く可能性を高めることと子局２００による音声出力の準備完了までの時間を短縮することのいずれを重視するかを適宜に調整することが可能である。
【００９５】
［変形例］
上記では、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００９６】
１０    通信システム
１００  緊急情報受信装置
１０２  緊急情報受信部
１０３  緊急時起動信号生成部
１０４  記憶部
１０５  緊急時起動信号出力部
１１０  操作卓
１１１  緊急時起動信号入力部
１１２  操作入力部
１１３  マイク
１１４  音源メモリ
１１５  音声入力要求受信部
１２１  記憶部
１３１  緊急時連送回数設定部
１３２  操作制御部
１３３  通常時起動信号生成部
１３４  音源制御部
１４１  起動信号出力部
１４２  音声出力部
１５０  親局
１５１  起動信号入力部
１５２  音声入力部
１６１  記憶部
１７１  信号処理部
１７２  音声制御部
１８１  音声入力要求送信部
２００  子局
２３０  信号処理部
２４０  音声制御部
２５０  スピーカ
４００  緊急情報送信装置
【図１】
0005471554.tif 000002
【図２】
0005471554.tif 000003
【図３】
0005471554.tif 000004
【図４】
0005471554.tif 000005
【図５】
0005471554.tif 000006
【図６】
0005471554.tif 000007
【図７】
0005471554.tif 000008
【図８】
0005471554.tif 000009
【図９】
0005471554.tif 000010